(57)【特許請求の範囲】
【請求項１】
合成樹脂製シートから熱成形された上容器と下容器と蓋体とを備えたセット販売用の食品包装用容器であって、
下容器と上容器は、それぞれ底面部と該底面部の外縁から上方に立ち上がる側壁部と該側壁部の上端から外側に延設されたフランジ部とを備え、上容器は、下容器よりも浅い容器であって下容器の内側に入り込むようにして積み重ねられ、
下容器の側壁部の上部と上容器の側壁部の上部にはそれぞれ下側に向けて拡開する逆テーパ形状の逆テーパ嵌合部が形成されて下容器の逆テーパ嵌合部の内側に上容器の逆テーパ嵌合部が嵌合し、且つ、積み重ねられた状態において、上容器の側壁部のうち逆テーパ嵌合部よりも下側の領域は下容器の側壁部に対して内側に離間しており、
上容器のフランジ部は、下容器のフランジ部の外縁よりも外側にはみ出したはみ出し部を備え、
蓋体は、下容器と嵌合することなく上容器と嵌合して上容器の開口部を閉塞し、上容器と下容器の逆テーパ嵌合部同士の嵌合状態を解除することにより、閉蓋状態を維持しつつ蓋体と上容器とを下容器から一体的に分離可能に構成されていることを特徴とするセット販売用の食品包装用容器。
【請求項２】
下容器のフランジ部の上面が上容器のフランジ部の下面に当接している請求項１記載のセット販売用の食品包装用容器。
【請求項３】
上容器のフランジ部の平面視における外縁形状と下容器のフランジ部の平面視における外縁形状とが互いに非相似形状であり、上容器のフランジ部は、下容器のフランジ部の外縁に対する外側へのはみ出し量が相対的に大きい大はみ出し部と、下容器のフランジ部の外縁に対する外側へのはみ出し量が相対的に小さい小はみ出し部とを備えている請求項１又は２記載のセット販売用の食品包装用容器。
【請求項４】
蓋体と下容器は、内部が視認できる程度に透明である請求項１乃至３の何れかに記載のセット販売用の食品包装用容器。
【請求項５】
蓋体は、上容器のフランジ部の外側に嵌合するフランジ部を備え、該蓋体のフランジ部は、下容器のフランジ部を外側から離間して覆うように下方に延びている請求項１乃至４の何れかに記載のセット販売用の食品包装用容器。
【発明の詳細な説明】
【技術分野】
【０００１】
本発明は、二種類の食品を組み合わせてセット販売するためのセット販売用の食品包装用容器であって、特に、二種類の食品を上下二つの容器にそれぞれ個別に収容した状態でセット販売するための容器に関する。
【背景技術】
【０００２】
例えば、下記特許文献１には、容器本体の底面部に仕切り壁を突設することによって収容部を二つに区画し、区画された各収容部にご飯やおかずといったように異なる種類の食品を分けて収容できるものが提案されている。しかしながら、このような仕切り壁を設けた構成では、例えば電子レンジで加熱調理したい場合には何れの食品も加熱調理する他なく、二種類の食品のうちの一つの食品のみ加熱して他の食品については非加熱としたい場合には適していない。また、蓋を開けると全ての食品が一度に開封状態となるため、例えば二種類の食品のうち一種類のみを先に食して、他の食品については乾燥を防ぐ等のために開封することなく閉蓋状態のまま保持しておいて少し時間が経った後に食したいという用途には適していない。
【０００３】
また、下記特許文献２には、区画された二つの収容部のうちの一方に別体のマイクロ波遮断性容器を収容する構成が提案されている。かかる容器の場合には、電子レンジで加熱したくない食品をマイクロ波遮断性容器に収容することによって、容器を電子レンジに入れて加熱調理する際に、一方の食品については非加熱とし、他方の食品のみを加熱調理することができるという利点がある。しかしながら、加熱したくない食品についても同様に電子レンジに入れることになるため、例えば冷やしうどんや蕎麦のように冷やした状態のまま食したいものについては適していない。即ち、冷やしうどん等の場合、マイクロ波遮断性容器によってマイクロ波が遮断されることになるため直接的には加熱調理されないものの、隣に収容されている加熱調理すべき食品の温度上昇の影響を少なからず受けることになるため、食品の冷たさが損なわれやすい。また、冷やした状態のまま食したい食品を電子レンジに入れるということに対して心理的な抵抗が生じるおそれもある。更には、この容器の場合も上述したものと同様に、二種類の食品のうち一種類のみを先に食して、他の食品については乾燥を防ぐ等のために開封することなく閉蓋状態のまま保持しておいて少し時間が経った後に食したいという用途には適していない。
【０００４】
また更に、下記特許文献３には、丼状の容器の上に、フランジ部のない中皿を重ね、その中皿の上に蓋を被せた容器であって、容器にはスープを入れ、中皿には麺を入れることが開示されている。しかしながら、上方に向けて拡開するテーパ状である中皿の下部を、同じく上方に向けて拡開するテーパ状である容器の上部に強く押し付けるように嵌合して水密状とする構成であるので、いわゆるクサビ効果によって中皿が容器の内側にきつく嵌り込んで抜けなくなるという問題がある。特に、スープの温度が下がると容器内の圧力が低下しやすいため、中皿がより一層きつく嵌って抜けなくなる。また、容器に中皿を嵌合させた状態のまま仕切り板を取り除くことによって中皿の底面部の開口部から麺を容器内のスープに落下させる構成であって、容器から中皿を取り外して容器に収容したスープのみを食したり中皿に収容した麺のみを食したりする用途のものではなく、中皿に収容した麺を電子レンジで加熱調理したりする用途のものでもない。尚、中皿と蓋の間に上皿を設けてその上皿にチャーハン等の米飯を入れる点も開示されているが、蓋を開けて、上皿を取り外し、その後、中皿を容器に付けた状態のまま仕切り板を外して麺を落下させる構成であるため、蓋を開けなければ上皿を取り外すことができず、従って、蓋を開けることなく蓋付きのままで上皿の米飯を電子レンジで加熱調理したりすることができない。
【先行技術文献】
【特許文献】
【０００５】
【特許文献１】特開２０１３−４９４３９号公報
【特許文献２】特開２００５−２０６２３８号公報
【特許文献３】特開２００１−３４８０７４号公報
【発明の概要】
【発明が解決しようとする課題】
【０００６】
それゆえに本発明は上記従来の問題点に鑑みてなされ、セット販売される二種類の食品のうちの一種類の食品を他の種類の食品とは別にして蓋付きの容器に収容した状態のままで電子レンジによる加熱調理や保存等の処理を容易に行うことができるセット販売用の食品包装用容器を提供することを課題とする。
【課題を解決するための手段】
【０００７】
本発明は、上記課題を解決すべくなされたものであって、本発明に係るセット販売用の食品包装用容器は、合成樹脂製シートから熱成形された上容器と下容器と蓋体とを備えたセット販売用の食品包装用容器であって、下容器と上容器は、それぞれ底面部と該底面部の外縁から上方に立ち上がる側壁部と該側壁部の上端から外側に延設されたフランジ部とを備え、上容器は、下容器よりも浅い容器であって下容器の内側に入り込むようにして積み重ねられ、下容器の側壁部の上部と上容器の側壁部の上部にはそれぞれ下側に向けて拡開する逆テーパ形状の逆テーパ嵌合部が形成されて下容器の逆テーパ嵌合部の内側に上容器の逆テーパ嵌合部が嵌合し、且つ、積み重ねられた状態において、上容器の側壁部のうち逆テーパ嵌合部よりも下側の領域は下容器の側壁部に対して内側に離間しており、上容器のフランジ部は、下容器のフランジ部の外縁よりも外側にはみ出したはみ出し部を備え、蓋体は、下容器と嵌合することなく上容器と嵌合して上容器の開口部を閉塞し、上容器と下容器の逆テーパ嵌合部同士の嵌合状態を解除することにより、閉蓋状態を維持しつつ蓋体と上容器とを下容器から一体的に分離可能に構成されていることを特徴とする。
【０００８】
該構成のセット販売用の食品包装用容器にあっては、上容器と下容器にそれぞれ異なる種類の食品を個別収容することができる。そして、上容器が下容器に積み重ねられて下容器の側壁部の上部における逆テーパ嵌合部に上容器の側壁部の上部における逆テーパ嵌合部が嵌合して上容器と下容器とが合体した状態となる。上容器は下容器よりも浅いので、上容器の底面部及び側壁部の下部が下容器の内側に入り込んだ状態であっても、上容器の底面部と下容器の底面部との間には空間が存在しており、その空間に食品を収容することができる。
【０００９】
そして、蓋体は上容器に嵌合していているものの下容器には嵌合していないので、合体状態にある上容器と下容器を分離する際には、閉蓋状態のまま上容器と蓋体とを下容器から一体的に分離することができる。即ち、逆テーパ嵌合部同士の嵌合状態を解除することにより、上容器を蓋付きの状態で下容器から分離することができる。従って、上容器に収容された食品を閉蓋状態のままで電子レンジに入れて加熱調理することができ、また、閉蓋状態のまま置いておくこともできて食品の乾燥を抑制することもできる。また、上容器のフランジ部が下容器のフランジ部の外縁よりも外側にはみ出したはみ出し部を備えているので、上容器のフランジ部のはみ出し部を指で下側から押し上げる、あるいは、引き上げることにより、上容器を蓋付きの状態のまま下容器から容易に分離することができる。
【００１０】
また、上容器と下容器は、互いの逆テーパ嵌合部で嵌合していて上容器の側壁部のうち逆テーパ嵌合部よりも下側の領域は下容器の側壁部に対して内側に離間しているので、上容器の側壁部の下側の領域と下容器の側壁部との間には隙間が形成されている。従って、上容器が下容器に強く押し入れられて抜けなくなるということがなく、蓋付きの上容器を下容器から容易に分離することができる。
【００１１】
一方、蓋付きの上容器を下容器から分離することで下容器の開口部が開放され、下容器に収容された食品を他の容器に移し替えることなく下容器をそのまま容器として使用して収容された食品を食することができる。
【００１２】
特に、下容器のフランジ部の上面が上容器のフランジ部の下面に当接していることが好ましく、下容器を上容器に積み重ねる際に、上容器のフランジ部が下容器のフランジ部に当接することで、それ以上の上容器の下方移動が阻止されて、上容器を確実に所定高さに積み重ねることができる。また、上容器と下容器の合体状態が安定する。
【００１３】
また、上容器のフランジ部の平面視における外縁形状と下容器のフランジ部の平面視における外縁形状とが互いに非相似形状であり、上容器のフランジ部は、下容器のフランジ部の外縁に対する外側へのはみ出し量が相対的に大きい大はみ出し部と、下容器のフランジ部の外縁に対する外側へのはみ出し量が相対的に小さい小はみ出し部とを備えていることが好ましい。上容器のフランジ部に大はみ出し部が設けられていることにより、その大はみ出し部に容易に指をかけて上容器を上方に上げて下容器から分離することができる。一方、上容器と下容器は互いの逆テーパ嵌合部で合体した状態となるが、例えば蓋体から下容器へと粘着テープを上下方向に貼り付けることで、合体状態をより一層確実に維持することができる。そのテープ貼りの際、上容器のフランジ部の小はみ出し部の箇所をテープ貼り位置とすることで、粘着テープを容易に貼り付けることができる。
【００１４】
また、蓋体と下容器は、内部が視認できる程度に透明であることが好ましい。蓋体と下容器が透明であることにより、上容器に収容された食品と下容器に収容された食品をそれぞれ外部から視認することができる。仮に、蓋体が透明であって下容器が不透明であると、上容器と下容器が別体であってそれぞれに食品が収容されていることが視認できない。そのため上容器に収容された食品があたかも下容器まで収容されていてその食品の量が多量に収容されていると誤解される虞がある。それに対して下容器が透明であると、下容器には上容器と異なる食品が収容されているということを、ラベル等の表示を読まなくても、瞬時に把握することができる。
【００１５】
また、蓋体は、上容器のフランジ部の外側に嵌合するフランジ部を備え、該蓋体のフランジ部は、下容器のフランジ部を外側から離間して覆うように下方に延びていることが好ましい。下容器のフランジ部が蓋体のフランジ部によって外側からカバーされることにより、蓋体のフランジ部が下容器のフランジ部のプロテクターとして機能することになり、例えば店頭等において下容器のフランジ部に他の物が引っかかったり当たったりし難くなって、上容器と下容器の嵌合状態が不用意に外れることを防止することができる。
【発明の効果】
【００１６】
以上のように、上容器と下容器がそれぞれの側壁部の上部に形成された逆テーパ嵌合部で嵌合していると共に上容器の側壁部における逆テーパ嵌合部よりも下側の領域が下容器の側壁部から離間していて、蓋体が下容器に嵌合せずに上容器に嵌合していていると共に上容器のフランジ部にはみ出し部が設けられているので、下容器から上容器と蓋体を閉蓋状態のままで容易に一体的に分離することができる。従って、上容器に収容された食品を閉蓋状態のままで容易に電子レンジで加熱調理したり保存したりすることができる。
【図面の簡単な説明】
【００１７】
【図１】本発明の一実施形態におけるセット販売用の食品包装用容器の合体状態を示す斜視図。
【図２】同食品包装用容器の上容器と下容器を分離した状態を示す斜視図。
【図３】同食品包装用容器の上容器の開蓋状態を示す斜視図。
【図４】同食品包装用容器の合体状態を示す正面図。
【図５】同食品包装用容器の上容器と下容器を分離した状態を示す正面図。
【図６】同食品包装用容器の上容器の開蓋状態を示す正面図。
【図７】同食品包装用容器の下容器を示す平面図。
【図８】同食品包装用容器の上容器を示す平面図。
【図９】同食品包装用容器の上容器と下容器の外縁形状の関係を示す概略平面図。
【図１０】同食品包装用容器の合体状態を示す図８のＡ−Ａ線に相当する箇所の端面図。
【図１１】同食品包装用容器の合体状態を示す図８のＢ−Ｂ線に相当する箇所の端面図。
【図１２】同食品包装用容器の上容器と下容器を分離した状態を示す図８のＢ−Ｂ線に相当する箇所の端面図。
【発明を実施するための形態】
【００１８】
以下、本発明の一実施形態に係るセット販売用の食品包装用容器について図１〜図１２を参酌しつつ説明する。図１〜図６に示すセット販売用の食品包装用容器は、二種類の食品をセットで販売するためのものであって、二種類の食品をそれぞれ個別に収容して販売するためのものであり、合成樹脂製シートから熱成形されて形成された下容器１と上容器３と蓋体５とを備えている。下容器１は第一の食品を収容するためものであり、上容器３は第一の食品とは異なる種類の第二の食品を収容するためのものであり、蓋体５は上容器３の開口部を閉塞するためものである。下容器１に収容される第一の食品としては、冷やしうどんや蕎麦等のような冷やして食する麺類が好ましく、上容器３に収容される第二の食品は、カツ丼や親子丼等のような各種の丼物が好ましい。従って、本実施形態のセット販売用の食品包装用容器は、冷やして食する麺類と暖めて食する丼物とをセットで販売する用途に適している。
【００１９】
下容器１や上容器３の平面視の形状は任意であって、後述するような多角形の他、丸形であってもよい。また、多角形（四角形）の場合においては、各辺部は、直線状である他、外側に弧状に膨出する構成であってよい。下容器１及び上容器３の底面部１０，３０には、その外周縁部などに周回する脚部、もしくは複数の脚部を設けてよい。また、脚部の数も、容器の大きさ、形状によって適宜設定される。例えば、方形容器では、脚部は角部に四つ設けてよい。その際、角部の脚部は略Ｌ字状とすると強度を向上することができる。下容器１や上容器３には中皿を設けてよい。上容器３は電子レンジによる加熱が必要な丼物等を収容するため素材として、耐熱樹脂素材を使用したシートを熱成形して得ることができ、電子レンジで加熱した際に、レンジの電磁波を効率よく収容食材へ伝え、加熱を均一にかつ短時間で行うことができる。また、蓋体５も耐熱樹脂素材を使用したシートを熱成形して得ることができる。下容器１や上容器３、蓋体５には、それぞれの部材同士を積み重ねた際のブロッキングを防止するためのブロッキング防止用凸部３３，５３を周方向に位置をずらせながら配置することが好ましい。下容器１、上容器３及び蓋体５の各フランジ部１２，３２，５２の外縁には全周に亘って連続した略水平の縁取り部１２３，３２５，５２５を設けることが好ましい。この縁取り部１２３，３２５，５２５の内外方向の全幅のうち外側領域には極細の多数の凹凸を形成することが好ましく、補強効果が得られると共に指等が当たって指等が切ることが防止される。この凹凸は、正面から拡大して見たときに波形状とされ、多数の山頂と谷底の延びる方向が幅方向（内外方向）であって、角部においては角部と容器中心とを結ぶ方向（放射方向）に平行に形成されることが好ましい。また、この凹凸は、例えば、平目ローレット目や綾目ローレット目のようなローレット目によって形成されてよく、特には、滑りにくいようにするために綾目ローレット目によって形成することが好ましい。
【００２０】
上容器３のフランジ部３２は、下容器１のフランジ部１２の外縁に対して全周に亘ってはみ出していてもよいが、全周のうち少なくとも一部がはみ出していればよい。上容器３のフランジ部３２が下容器１のフランジ部１２の外縁に対して全周に亘ってはみ出している場合には一定幅で外側にはみ出していてもよいし、周方向にはみ出し量を変化させつつはみ出していてもよい。はみ出し量に変化を持たせる場合には、はみ出し量が大きい大はみ出し部３２６は対向する二箇所に形成することが好ましく、はみ出し量が小さい小はみ出し部３２７も対向する二箇所に形成することが好ましい。より好ましくは、大はみ出し部３２６を前後方向と左右方向といったように互いに直交する二方向にそれぞれ対向して合計四箇所に形成することが好ましく、また、小はみ出し部３２７も大はみ出し部３２６とは異なる方向、好ましくは大はみ出し部３２６と直交する二方向においてそれぞれ対向して合計四箇所に形成することが好ましい。但し、上容器３のフランジ部３２が下容器１のフランジ部１２の外縁に対して全周のうちの一箇所のみがはみ出していてもよいし、対向する二箇所のみがはみ出していてもよい。即ち、はみ出し部が一箇所のみに設けられた構成であってもよいし、周方向に離れた複数箇所に設けられた構成であってもよく、複数箇所にはみ出し部を分散して設ける場合には対向する二箇所に設けることが好ましい。
【００２１】
上容器３は、例えばポリエチレンテレフタレート、ポリスチレン、ポリプロピレンやポリエチレン等のポリオレフィン等、各種合成樹脂シート、これらのシート素材として無機物を充填したシート、これらをシート素材として発泡させた発泡シート、更には、これらのシートを延伸させた延伸シートなどを使用できるが、例えば、ポリスチレンとして耐熱性に優れた耐熱性のスチレン系樹脂を使用した耐熱性発泡スチレン系樹脂シート、耐熱性に優れたポリプロピレンに無機物を充填したシート、ポリエチレンテレフタレート・ポリスチレン・ポリプロピレン・ポリエチレンなどのシートを延伸して耐熱性を向上させた耐熱シートを使用して熱成形したものを使用できる。また、蓋体５には、これらのシートの中でも、耐熱性と透明性に優れたシートを使用することができる。下容器１は、例えばポリエチレンテレフタレート、ポリスチレン、ポリプロピレンやポリエチレン等のポリオレフィン等、各種の透明な合成樹脂シートや、これらの透明なシートを延伸させた延伸シートなどを使用できる。
【００２２】
下容器１はいわゆる深型の容器であって、上容器３はいわゆる浅型の容器である。ここで、深型の容器とは、カップ型の容器であって、開口部の最大径に対して深さがその３／４以上である容器であり、浅型の容器とは、開口部の最大径に対して深さがその半分以下となる容器である。尚、開口部の最大径とは、側壁部１１，３１の上端内面における最大の開口径であって、開口部が円形である場合にはその直径であり、開口部が多角形である場合には開口部の全周（側壁部１１，３１の上端内面の全周）のうち平面視において最も離れた二箇所間の離間距離である。何れにしても下容器１は上容器３よりも深い容器であり、逆に言えば、上容器３は下容器１よりも浅い容器である。浅型である上容器３は丼物を収容するのに適しており、深型である下容器１は、つゆをかけて食する麺類を収容するのに適している。下容器１が深型であると、つゆの嵩が浅型に比して高くなるので麺に充分につゆを浸すことができる。以下、下容器１、上容器３、蓋体５の順に、より具体的な構成の一例について説明する。
【００２３】
＜下容器１＞
図２、図５、図７及び図１０〜図１２のように下容器１は、底面部１０と側壁部１１とフランジ部１２とを備えている。下容器１は、平面視略八角形状である。尚、八角形の各辺の長さは同じではなく、長さが長い四つの長辺部１ａと長さが短い四つの短辺部１ｂとからなり、長辺部１ａと短辺部１ｂとが周方向に交互に形成されている。尚、図１０は長辺部１ａにおける端面図であり、図１１及び図１２は短辺部１ｂにおける端面図である。底面部１０は平面視略八角形状であって、その中央部には周辺部よりも一段高くなった上げ底部１０１が形成されており、周辺部が脚部となる。上げ底部１０１も平面視略八角形状である。
【００２４】
側壁部１１は、底面部１０の周縁から上方に向けて全体として拡開しつつ立ち上がっている。全体として拡開しているとは、全体として上方に向けて外側に傾斜しつつ延びていることであって、側壁部１１の下端によって囲まれた面積に比して上端によって囲まれた面積（即ち開口部の面積）の方が大きいことを意味し、一部に垂直に立ち上がる部分が存在していてもよい。側壁部１１も略八角形状であるので、側壁部１１は周方向に八つの面部に区画される。尚、隣り合う面部同士の境界部である八つの頂部には、それぞれ縦リブ１４が縦方向に沿って形成されていてもよい。各頂部の縦リブ１４は内面側に突出する形状としてよい。また、底面部１０の周辺部から側壁部１１の下部にかけて連続的に縦方向に延びるＬ字状の縦リブ１３を形成してもよい。該Ｌ字状の縦リブ１３の本数も任意であるが、例えば、底面部１０の長辺部１ａにおいては多く（例えば六本）短辺部１ｂにおいては少なく（例えば三本）形成することができる。尚、このＬ字状の縦リブ１３も内面側に突出する形状であってよい。
【００２５】
側壁部１１は、上下方向に複数の部分に区画されている。即ち、側壁部１１は、下側から順に、底面部１０の外縁から上方に延設され、直角に近い急な角度で立ち上がっている側面立ち上がり部１１１と、該側面立ち上がり部１１１の上側に外側に拡がる段差部１１２を介して上方に延設され、上方に向けて拡開するテーパ形状であって、側壁部１１の上下方向のうち大部分を占める側面主部１１３と、該側面主部１１３の上側に外側に拡がる段差部１１４を介して延設された側面上段部１１５と、該側面上段部１１５の上側に外側に拡がる段差部１１６を介して上方に延設され、下方に向けて拡開する逆テーパ形状の逆テーパ嵌合部１１７と、該逆テーパ嵌合部１１７の上側に延設され、上方に向けて拡開するテーパ形状の上端面取り部１１８とを備えている。このように側壁部１１の各部分は、その周長が下側から上側に向けて段階的に大きくなっている。
【００２６】
尚、各段差部１１２，１１４，１１６は、一段であってもよいし、二段（複数段）であってもよい。また、Ｌ字状の縦リブ１３は、側面立ち上がり部１１１に形成されており、また、側面主部１１３の下部まで延びていることが好ましく、更には、短辺部１ｂよりも長辺部１ａの方が上方まで長く延びていることが好ましい。また、頂部の縦リブ１４は、側面主部１１３に形成することが好ましい。側面主部１１３に縦リブ１４を形成することにより、その縦リブ１４が側面主部１１３の柱部として機能することになり、上下方向の寸法が大きい側面主部１１３の強度を容易に確保できる。特に、下容器１の上に上容器３が積み重ねられる構成であるので、下容器１には上容器３の重量にも耐える必要がある一方、下容器１は麺類の収容に適した深型としているので、側面主部１１３に縦リブ１４を形成することによる利点が大きい。側面主部１１３は、縦断面視において内側に向けて突出するように湾曲していてよく、側面主部１１３の下部においては垂直に近い急な角度で立ち上がっていると共に、上方に向けて徐々に拡開の程度が大きくなっていて徐々に立ち上がり角度が緩くなっている。即ち、側面主部１１３は、上側に向けて外側に反り返るように延びるように形成してよい。逆テーパ嵌合部１１７は、その内面が上容器３との嵌合面となる部分であって、後述する上容器３の逆テーパ嵌合部３１７と面接触する。下容器１の逆テーパ嵌合部１１７は、上方に向けて徐々に内側（容器中心側）に向かう傾斜面となっている。そして、上端面取り部１１８は、逆テーパ嵌合部１１７とは逆に上方に向けて徐々に外側に向かう傾斜面となっており、開口縁部に上端面取り部１１８を設けることにより、上容器３が下容器１にスムーズに入り込んで嵌合でき、その意味において上端面取り部１１８は、逆テーパ嵌合部１１７へ誘導する誘導部として機能する。
【００２７】
尚、逆テーパ嵌合部１１７の内面から上端面取り部１１８の内面にかけて縦方向に延びる空気排出用の凹溝１１９を形成してもよい。該空気排出用の凹溝１１９は、下容器１の内側に上容器３を嵌合するする際において下容器１内の圧力上昇を回避するためのものであり、逆テーパ嵌合部１１７の全高及び上端面取り部１１８の全高に亘って形成する。このように空気排出用の凹溝１１９を内面に形成することにより、上容器３を下容器１に嵌合する際に下容器１内の空気が凹溝１１９を介して外部に排出されるため、下容器１内の圧力上昇が防止され、下容器１が膨れて上容器３との嵌合が外れやすくなるということが防止される。空気排出用の凹溝１１９の数や配置は任意であって一箇所であってもよいが、等間隔で複数箇所に設けることが好ましく、本実施形態では一例として対向する二つの長辺部１ａに一箇所ずつ合計二箇所設けており、より詳細には長辺部１ａの中央に１８０度対向配置で一箇所ずつ合計二箇所設けている。尚、下容器１の逆テーパ嵌合部１１７及び上端面取り部１１８に対応する上容器３の外面に、同様の空気排出用の凹溝を形成してもよい。下容器１と上容器３のうちの何れか一方に空気排出用の凹溝を形成してもよいし両方に形成してもよい。
【００２８】
フランジ部１２は、側壁部１１の上端から外側に向けて延設されている。該フランジ部１２は、全周に亘って幅一定で形成されている。フランジ部１２は、例えば、側壁部１１の上端から外側に向けて水平に延びる水平面部１２１と、該水平面部１２１の外縁から下方に延びるスカート部１２２とを備えることができ、また、スカート部１２２の外縁には外側に向けて例えば水平又は若干下方に延びる縁取り部１２３を形成することが好ましい。このようにフランジ部１２に縁取り部１２３を形成した場合にはその縁取り部１２３の外縁が下容器１の外縁となって平面視において最も外側に位置する部分となる。図７のようにフランジ部１２の平面視における形状もまた略八角形状であり、フランジ部１２の外縁形状も略八角形状である。フランジ部１２の側壁部１１からの突出量は全周に亘って一定であるため、平面視においてフランジ部１２の外縁形状は、フランジ部１２の内縁形状に対して相似形状であり、また、逆テーパ嵌合部１１７の形状に対しても相似形状である。尚、フランジ部１２のスカート部１２２の下端の高さは全周に亘って略一定である。
【００２９】
＜上容器３＞
図３、図６、図８及び図１０〜図１２のように上容器３は、底面部３０と側壁部３１とフランジ部３２とを備えている。上容器３も下容器１と同様に平面視略八角形状であって、八角形の各辺の長さが同じではなく、長さが長い四つの長辺部３ａと長さが短い四つの短辺部３ｂとからなり、長辺部３ａと短辺部３ｂとが周方向に交互に形成されている点も同様である。従って、底面部３０、側壁部３１及びフランジ部３２は何れも平面視略八角形状である。底面部３０には、例えば下方に突出した四つの脚部３０１を設けることができる。
【００３０】
側壁部３１は、底面部３０の周縁から上方に向けて全体として拡開しつつ立ち上がっている。側壁部３１も略八角形状であるので、側壁部３１は周方向に八つの面部に区画される。側壁部３１は、上下方向に複数の部分に区画されている。即ち、側壁部３１は、下側から順に、底面部３０の外縁から上方に立ち上がる側面立ち上がり部３１１と、該側面立ち上がり部３１１の上側に位置し、上方に向けて拡開するテーパ形状であって、側壁部３１の上下方向のうち大部分を占める側面主部３１３と、該側面主部３１３の上端から外側に向けて水平に延設される側面水平部３１５と、該側面水平部３１５の外縁から面取り部３１６を介して上方に延設され、下方に向けて拡開する逆テーパ形状の逆テーパ嵌合部３１７と、該逆テーパ嵌合部３１７の上側に延設され、上方に向けて拡開するテーパ形状の上端面取り部３１８とを備えている。このように側壁部３１の各部分は、その周長が下側から上側に向けて段階的に大きくなった形状とすることができる。
【００３１】
側面主部３１３は、側面立ち上がり部３１１の上端から段差部３１２を介して上方に延設されてよい。また、側面主部３１３は、長辺部３ａと短辺部３ｂとで形状が異なるものとすることができ、例えば、長辺部３ａにおいては、図１０のように、相対的に傾斜角度の小さい（勾配が緩い）下側傾斜面３１３ａと相対的に傾斜角度の大きい（勾配がきつい）上側傾斜面３１３ｂの二つの傾斜面から構成することができ、短辺部３ｂにおいては、図１１及び図１２のように、単一の傾斜面３１３ｃから構成することができる。側面水平部３１５も長辺部３ａと短辺部３ｂとでその水平方向の長さ（幅）を異なるものとすることができ、例えば、長辺部３ａにおいては図１０のように長く、短辺部３ｂにおいては図１１及び図１２のように長辺部３ａよりも短く形成してよい。尚、側面主部３１３の上部外面には外側に向けて突出する例えば半円状のブロッキング防止用凸部３３を設けることが好ましい。逆テーパ嵌合部３１７は、下容器１の逆テーパ嵌合部１１７と嵌合する部分であり、詳細には、その外面が下容器１の逆テーパ嵌合部１１７の内面と面接触して嵌合する。即ち、上容器３の逆テーパ嵌合部３１７が雄側であり、下容器１の逆テーパ嵌合部１１７が雌側となる。尚、上容器３の逆テーパ嵌合部３１７の方が下容器１の逆テーパ嵌合部１１７よりも上下方向の寸法（全高）が長い。
【００３２】
フランジ部３２は、側壁部３１の上端から外側に向けて延設されている。フランジ部３２は、例えば、側壁部３１の上端から外側に向けて水平に延びる水平面部３２１と、該水平面部３２１の外縁から外側且つ上方に向けて傾斜しつつ延びる内側傾斜面部３２２と、該内側傾斜面部３２２の上端から外側に向けて水平あるいは水平に近い緩い勾配で上方に向けて傾斜しつつ延びる頂上部３２３と、該頂上部３２３の外縁から下方に向けて延びるスカート部３２４とを備えることができ、また、スカート部３２４の外縁には外側に向けて例えば水平又は若干下方に向けて延びる縁取り部３２５を形成することが好ましい。このようにフランジ部３２に縁取り部３２５を形成した場合にはその縁取り部３２５の外縁が上容器３の外縁となって平面視において最も外側に位置する部分となる。尚、スカート部３２４は頂上部３２３の外縁から全体として斜め下方に傾斜しつつ延びている。
【００３３】
フランジ部３２は、全周に亘って均一に形成されているものではなく不均一である。即ち、フランジ部３２の側壁部３１の上端から外側への突出量（フランジ部３２の幅）は、長辺部３ａにおいては小さく短辺部３ｂにおいては大きい。図８のようにフランジ部３２の平面視における形状は底面部３０や側壁部３１と同様に略八角形状であって、フランジ部３２の外縁形状も略八角形状であるが、フランジ部３２の外縁においては、各辺部の長さが長辺部３ａにおいて長く短辺部３ｂにおいて短くなっていて長辺部３ａと短辺部３ｂとの差が側壁部３１のそれよりも大きく広がっており、フランジ部３２の外縁形状は側壁部３１よりも正方形に近い形状となっている。即ち、平面視において、フランジ部３２の内縁形状とフランジ部３２の外縁形状とは相似形ではなく互いに非相似形状となっている。また、平面視におけるフランジ部３２の内縁形状は逆テーパ嵌合部３１７の形状に対して相似形である。従って、平面視におけるフランジ部３２の外縁形状は、逆テーパ嵌合部３１７の形状に対して非相似形状である。
【００３４】
ここで、下容器１のフランジ部１２の外縁形状と上容器３のフランジ部３２の外縁形状との関係について更に説明する。図９に、下容器１のフランジ部１２の外縁形状と上容器３のフランジ部３２の外縁形状を何れも実線で示している。また、両容器１，３の逆テーパ嵌合部１１７，３１７の所定箇所を同図に二点鎖線で示している。両容器１，３の逆テーパ嵌合部１１７，３１７同士は互いに嵌合するので、同じ箇所において、両容器１，３の逆テーパ嵌合部１１７，３１７の平面視の形状は同一である。そして、下容器１のフランジ部１２の外縁形状は逆テーパ嵌合部１１７の形状に対して相似形である一方、上容器３のフランジ部３２の外縁形状は逆テーパ嵌合部３１７の形状に対して非相似形であるので、上容器３のフランジ部３２の外縁形状は下容器１のフランジ部１２の外縁形状に対して非相似形である。上容器３のフランジ部３２は全周に亘って下容器１のフランジ部１２よりも大きく、従って、上容器３のフランジ部３２は全周に亘って下容器１のフランジ部１２の外縁から外側にはみ出している。そして、上容器３のフランジ部３２は、短辺部３ｂにおいては下容器１のフランジ部１２の外縁から外側に相対的に大きくはみ出し、長辺部３ａにおいては下容器１のフランジ部１２の外縁から外側に相対的に小さくはみ出している。短辺部３ｂにおいて上容器３のフランジ部３２が下容器１のフランジ部１２の外縁からはみ出している部分が大はみ出し部３２６であり、長辺部３ａにおいて上容器３のフランジ部３２が下容器１のフランジ部１２の外縁からはみ出している部分が小はみ出し部３２７である。
【００３５】
また、フランジ部３２は、上下方向（高さ方向）においても全周に亘って均一ではなく不均一となっている。即ち、フランジ部３２の水平面部３２１や縁取り部３２５は全周に亘って一定の高さとなっているが、頂上部３２３の高さは、長辺部３ａにおいて低く短辺部３ｂにおいて高くなっている。フランジ部３２が全体として上方に膨出した山型の形状となっていることから、フランジ部３２の下面は上面の山型形状に対応して谷型形状に形成されている。フランジ部３２の上面の山型形状は全周に亘って形成されているので、フランジ部３２の下面の谷型形状もまた全周に亘って形成されているが、短辺部３ｂにおいて頂上部３２３の高さが高くなっていて、しかも、側壁部３１から外側への突出量も短辺部３ｂにおいて大きくなっていることから、短辺部３ｂにおけるフランジ部３２の下面には、長辺部３ａよりも深く幅広の凹部が形成されることになる。尚、フランジ部３２のスカート部３２４の下端の高さは全周に亘って略一定である。
【００３６】
＜蓋体５＞
図３、図６及び図１０〜図１２のように蓋体５は、天面部５０と側壁部５１とフランジ部５２とを備えている。蓋体５は上容器３の開口部を閉塞するものであるため、上容器３に対応して平面視略八角形状であって、八角形の各辺の長さが同じではなく、長さが長い四つの長辺部５ａと長さが短い四つの短辺部５ｂとからなり、長辺部５ａと短辺部５ｂとが周方向に交互に形成されている点も同様である。従って、天面部５０、側壁部５１及びフランジ部５２は何れも平面視略八角形状である。尚、天面部５０の四隅、即ち、各短辺部５ｂには、このセット販売用の食品包装用容器を上下に段積みした際に、該容器同士の横方向の位置ずれを抑制するためのズレ防止用の突起５０１を突出形成することが好ましい。側壁部５１は、天面部５０の周縁から下方に向けて拡開しつつ延びている。側壁部５１の下部外面には外側に向けて突出する例えば半円状のブロッキング防止用凸部５３を設けることが好ましい。
【００３７】
フランジ部５２は、側壁部５１の下端から外側に向けて延設されている。フランジ部５２は、例えば、側壁部５１の下端から少しの幅で外側に向けて水平に延びる水平面部５２１と、該水平面部５２１の外縁から外側且つ上方に向けて傾斜しつつ延びる内側傾斜面部５２２と、該内側傾斜面部５２２の上端から外側に向けて水平あるいは水平に近い緩い勾配で上方に向けて傾斜しつつ延びる頂上部５２３と、該頂上部５２３の外縁から下方に向けて延びるスカート部５２４とを備えることができ、また、スカート部５２４の外縁には外側に向けて例えば水平又は若干下方に向けて延びる縁取り部５２５を形成することが好ましい。尚、蓋体５のフランジ部５２は、上容器３のフランジ部３２の外側への突出量や山型形状に対応した形状となっている。また、蓋体５のフランジ部５２における四隅のうちの一箇所には、上方に膨出したドーム形状の開蓋用摘み部５２６が形成されていることが好ましい。尚、フランジ部５２のスカート部５２４の下端の高さは全周に亘って略一定である。
【００３８】
＜閉蓋状態＞
蓋体５は、上容器３に嵌合して上容器３の開口部を閉塞するが、その閉蓋状態において蓋体５は上容器３の外側に嵌合する。かかる閉蓋状態においては、蓋体５のフランジ部５２は、図１０〜図１２のように上容器３のフランジ部３２の上側を覆うと共に上容器３のフランジ部３２の外側に嵌合する。具体的には、蓋体５のフランジ部５２のスカート部５２４は、上容器３のフランジ部３２のスカート部３２４を上側且つ外側から覆うようにして上容器３のスカート部３２４に沿って斜め下方に傾斜しつつ延びて、更に、上容器３のスカート部３２４の下端、即ち上容器３の縁取り部３２５を下方に越えるように下方に略垂直に延びる。従って、蓋体５のスカート部５２４の下端は上容器３のスカート部３２４の下端よりも下方に位置する。そして、上容器３のスカート部３２４の下端よりも下方に延びた蓋体５のスカート部５２４には内面側に突出する係合突起（図示省略）が形成され、該係合突起が閉蓋時に上容器３のスカート部３２４の下端を乗り越えるように下方に通過してそのスカート部３２４の下端に係合突起が下側から係合することにより閉蓋状態が維持される。このように蓋体５は上容器３のフランジ部３２の外縁に外側から嵌合する。尚、平面視において、蓋体５の外縁（縁取り部５２５の外縁）が食品包装用容器として最も外側に位置して食品包装用容器の外縁を構成することになる。
【００３９】
＜上下合体状態＞
上容器３が下容器１の上側に積み重ねられた合体状態について説明する。上容器３は蓋体５と共に下容器１に合体することができる。即ち、閉蓋状態の上容器３を下容器１に合体させることができる。この合体状態において、蓋体５は下容器１とは嵌合せず上容器３とのみ嵌合し、上容器３の底面部３０及び側壁部５１の全体が下容器１の内側に入り込んだ状態となる。そして、下容器１の逆テーパ嵌合部１１７の内面に上容器３の逆テーパ嵌合部３１７の外面が全周に亘って面接触して互いに嵌合した状態となって、両容器１，３の合体状態が維持される。その一方、上容器３の側壁部３１における逆テーパ嵌合部３１７よりも下側の領域は下容器１の側壁部１１に対して内側に離間した状態にあって、上容器３の側壁部３１における逆テーパ嵌合部３１７よりも下側の領域と下容器１の側壁部１１との間には隙間が存在している。特に、上容器３の側面主部３１３が下容器１の側面主部１１３に対して内側に離間している。
【００４０】
更に、上容器３の側壁部３１における逆テーパ嵌合部３１７と側面主部３１３との間に側面水平部３１５が形成されていて、逆テーパ嵌合部３１７の下端に対して側面主部３１３の上端が所定距離内側に離間して設けられているので、上容器３の側面主部３１３が下容器１の側壁部１１から内側に大きく離れた状態が維持される。また、上容器３は下容器１よりも浅い容器であるので、上容器３の底面部３０は下容器１の底面部３０から上方に離間していて両者の間には第一の食品を収容するのに十分な空間が確保されると共に、下容器１に収容された第一の食品に上容器３の底面部３０が接触しない程度に十分な空間が確保される。尚、第一の食品が麺類の場合には下容器１に収容した麺類の上に袋入りのつゆを入れることがあり、その袋入りのつゆを入れる分だけ第一の食品である麺類は上容器３の底面部３０から下方に離れた状態となる。尚、袋入りのつゆを麺類の上に載せる場合には、その袋入りのつゆは、上容器３の底面部３０と接触してもよいし、非接触でもよい。より詳細には、下容器１の全体の深さの半分以上の深さの空間が上容器３の底面部３０との間に確保されることが好ましく、上容器３の底面部３０と下容器１の底面部３０との間の空間の深さは、上容器１の深さよりも深いことが好ましい。
【００４１】
一方、下容器１のフランジ部１２の上面は上容器３のフランジ部３２の下面に当接する。具体的には、下容器１のフランジ部１２における水平面部１２１の上面が上容器３のフランジ部３２における水平面部３２１の下面に当接し、この当接によって上容器３のそれ以上の下降が阻止されて合体状態が安定する。尚、仮に上容器３を下容器１に積み重ねる際に下容器１のフランジ部１２が下側に撓む等した場合であっても、上容器３の側壁部３１における面取り部３１６や側面水平部３１５が下容器１の側壁部１１における段差部１１６に当接することで上容器３の下降が阻止される。
【００４２】
また、上容器３のフランジ部３２は下容器１のフランジ部１２の外縁に対して平面視あるいは底面視において外側に全周に亘ってはみ出した状態となる。図１０に示しているように長辺部１ａ，３ａ，５ａにおいては外側へのはみ出し量が小さいものの、図１１に示しているように短辺部１ｂ，３ｂ，５ｂにおいては長辺部１ａ，３ａ，５ａよりも外側へのはみ出し量が大きくなる。
【００４３】
尚、上容器３のフランジ部３２の外縁は、下容器１のフランジ部１２の外縁よりも若干高い位置となるが、下容器１のフランジ部１２の水平面部１２１よりも若干低い高さとなる。その一方、上容器３の外側に嵌合している蓋体５のフランジ部５２のスカート部５２４は、上容器３のフランジ部３２の外縁よりも下方に延びていて、蓋体５のフランジ部５２のスカート部５２４の下端は下容器１のフランジ部１２の外縁よりも下方に位置している。従って、蓋体５のフランジ部５２のスカート部５２４は、上容器３のフランジ部３２を外側から嵌合しつつ覆っていると共に、下容器１のフランジ部１２も内外方向に所定距離離間した状態で外側から覆っている。尚、蓋体５のフランジ部５２のスカート部５２４の下端は、下容器１の逆テーパ嵌合部１１７の高さまで伸びていることが好ましい。
【００４４】
以上のように構成されたセット販売用の食品包装用容器は、例えば、下容器１と上容器３にそれぞれ第一の食品と第二の食品を収容し、上容器３に蓋体５を嵌合して閉蓋状態とし、下容器１の上に閉蓋状態の上容器３を積み重ねて合体させることができる。下容器１と上容器３は逆テーパ嵌合部１１７，３１７同士が嵌合することによって合体状態が維持されるが、更にその合体状態をより確実なものとするために、例えば蓋体５の天面部５０から下容器１の側壁部１１へと粘着テープ（図示省略）を上下方向に沿って貼り付けることが好ましい。特に、長辺部１ａ，３ａ，５ａにおいては上容器３のフランジ部３２のはみ出し量が小さいので、その長辺部１ａ，３ａ，５ａをテープ貼り位置とすることが好ましく、粘着テープを上下に掛け渡すように容易に貼り付けることができる。粘着テープは、例えば、長辺部１ａ，３ａ，５ａの対向方向に沿って、下容器１の側壁部１１の長辺部１ａから蓋体５の天面部５０を介して下容器１の側壁部１１の対向する長辺部１ａへと掛け渡すことが好ましく、それを直交する二方向共に行うことが好ましい。また、四つの長辺部１ａ，３ａ，５ａにそれぞれ粘着テープを掛け渡して合計四本としてもよい。例えば、四つの長辺部１ａ，３ａ，５ａが前後方向と左右方向を向くように食品包装用容器を陳列する場合、粘着テープは前後方向と左右方向の二方向に掛け渡された状態となる。
【００４５】
このように下容器１が上容器３の内側に入れられた合体状態で陳列され販売されるが、蓋体５が透明であるので、上容器３に収容された第二の食品を蓋体５を介して上方から容易に視認できる。また、下容器１も透明であるので、下容器１に収容された第一の食品についても外部から容易に視認できる。即ち、下容器１に収容された第一の食品と上容器３に収容された第二の食品の双方を容易に視認できるので、この商品がセット物であるということが一目でわかる。仮に、蓋体５が透明であって下容器１が不透明であると、上容器３と下容器１が別体であってそれぞれに食品が収容されていることが視認できない。これに対して下容器１が透明であると、上容器３に収容された第二の食品があたかも下容器１まで収容されていてその第二の食品が多量であるというようには誤認されることはなく、ラベル等の表示を読まなくても、下容器１には上容器３とは異なる食品が収容されているということを消費者は瞬時に把握することができる。
【００４６】
また、下容器１のフランジ部１２の縁取り部１２３が蓋体５のフランジ部５２によって外側からカバーされ、蓋体５の縁取り部５２５の下端が下容器１の縁取り部１２３の下端より下側に位置するよう構成されているので、蓋体５のフランジ部５２が下容器１のフランジ部１２を保護することとなって、例えば店頭等において下容器１のフランジ部１２に他の物が引っかかったり当たったりし難くなる。特に、蓋体５のフランジ部５２が下容器１のフランジ部１２の下端を下方に越えて延びているので、下容器１のフランジ部１２への引っかかりが確実に防止される。また、蓋体５のフランジ部５２と上容器３のフランジ部３２が何れも下容器１のフランジ部１２から外側に距離をおいて離れた状態にあって、しかも、下容器１のフランジ部１２の外側には、蓋体５のフランジ部５２と上容器３のフランジ部３２という二重のプロテクターが存在しているので、蓋体５に外部から他の物があたったりしても下容器１には影響が及びにくい。従って、上容器３と下容器１の嵌合状態が不用意に外れることを防止することができる。
【００４７】
そして、このように陳列されて販売される食品包装用容器を購入した消費者がそれを開封する場合には、テープ貼りされている場合にはその粘着テープを除去あるいは切断したうえで、下容器１から上容器３を閉蓋状態のままで上方に分離する。その際、短辺部１ｂ，３ｂ，５ｂにおいては上容器３のフランジ部３２のはみ出し量が大きいので、短辺部１ｂ，３ｂ，５ｂにおける上容器３のフランジ部３２の下面を指先で上方に押し上げるようにあるいは引き上げるようにすることで容易に分離できる。特に、上容器３のフランジ部３２は上方に膨出する山型形状とされていてその下面にはそれに対応した凹部が形成されているので、その凹部に指先を入れるようにすることで容易に分離でき、特にその凹部が短辺部３ｂにおいて長辺部３ａよりも大きく且つ深くなっているので楽に分離できる。また、下容器１と上容器３は、それぞれの側壁部１１，３１の上部に形成された逆テーパ嵌合部１１７，３１７で嵌合して合体状態となっているうえに、上容器３の側壁部３１のうち逆テーパ嵌合部３１７よりも下側の領域が下容器１の側壁部１１に対して内側に離間しているので、上容器３が下容器１に強く押し入れられて抜けなくなるということがなく、第二の食品の重量によって上容器３が重くなっていてもその上容器３を下容器１から容易に分離することができる。
【００４８】
また、蓋体５が上容器３に嵌合している一方で下容器１には嵌合していないので、閉蓋状態を維持したままで下容器１から上容器３と蓋体５とをセットで分離できる。従って、下容器１から分離した上容器３を閉蓋状態のままで電子レンジに入れて第二の食品を素早く容易に加熱調理することができる。特に、上容器３と蓋体５が何れも耐熱性樹脂シートから構成されているので、第二の食品を他の容器に移し替えることなくそのまま電子レンジに入れて加熱調理できる。尚、分離した上容器３は閉蓋状態のまま少しの時間置いておいたり、冷蔵庫に入れて保存するということもできる。下容器１から分離した後に直ちに第二の食品を食しないような場合であっても、閉蓋状態が維持されているので第二の食品の乾燥を容易に抑制できる。その一方、蓋付きの上容器３を下容器１から分離することで下容器１の開口部は自動的に開放されることになり、下容器１に収容された第一の食品を他の容器に移し替えることなくそのまま食することができる。
【００４９】
尚、本実施形態では蓋体５が上容器３の外側に嵌合する構成を説明したが、蓋体５が上容器３の内側に嵌合する構成であってもよい。その場合において、蓋体５が上容器３の内側に嵌合する部分の外側に下容器１が嵌合するように兼用してもよい。即ち、上容器３の逆テーパ嵌合部３１７の内面に蓋体５が嵌合する構成としてもよい。また、別途、上容器３に蓋体５を内嵌合させるための逆テーパ部を設けてもよい。
【００５０】
また、上記実施形態において下容器１の側壁部１１における上端面取り部１１８や上容器３の側壁部３１における上端面取り部３１８を省略してもよく、また、下容器１の逆テーパ嵌合部１１７や上容器３の逆テーパ嵌合部３１７は側壁部１１，３１の上端部に位置しなくても上部であればよい。
【符号の説明】
【００５１】
１    下容器
１ａ  長辺部
１ｂ  短辺部
１０    底面部
１０１  上げ底部
１１    側壁部
１１１  側面立ち上がり部
１１２  段差部
１１３  側面主部
１１４  段差部
１１５  側面上段部
１１６  段差部
１１７  逆テーパ嵌合部
１１８  上端面取り部
１１９  凹溝
１２    フランジ部
１２１  水平面部
１２２  スカート部
１２３  縁取り部
１３    縦リブ
１４    縦リブ
３    上容器
３ａ    長辺部
３ｂ    短辺部
３０    底面部
３０１  脚部
３１    側壁部
３１１  側面立ち上がり部
３１２  段差部
３１３  側面主部
３１３ａ  下側傾斜面
３１３ｂ  上側傾斜面
３１３ｃ  傾斜面
３１５  側面水平部
３１６  面取り部
３１７  逆テーパ嵌合部
３１８  上端面取り部
３２    フランジ部
３２１  水平面部
３２２  内側傾斜面部
３２３  頂上部
３２４  スカート部
３２５  縁取り部
３２６  大はみ出し部
３２７  小はみ出し部
３３    ブロッキング防止用凸部
５    蓋体
５ａ    長辺部
５ｂ    短辺部
５０    天面部
５０１  突起
５１    側壁部
５２    フランジ部
５２１  水平面部
５２２  内側傾斜面部
５２３  頂上部
５２４  スカート部
５２５  縁取り部
５２６  開蓋用摘み部
５３    ブロッキング防止用凸部
【要約】
【課題】セット販売される二種類の食品のうちの一種類の食品のみを蓋付きの容器に収容した状態のままで電子レンジによる加熱調理や保存等の処理を容易に行うことができるセット販売用の食品包装用容器を提供する。
【解決手段】合成樹脂製シートから熱成形された上容器３と下容器１と蓋体５とを備え、上容器３は下容器１よりも浅く、下容器１の逆テーパ嵌合部１１７の内側に上容器３の逆テーパ嵌合部が嵌合し、上容器３の側壁部３１のうち逆テーパ嵌合部よりも下側の領域は下容器１の側壁部１１に対して内側に離間しており、上容器３のフランジ部は、下容器１のフランジ部１２の外縁よりも外側にはみ出したはみ出し部を備え、蓋体５は、下容器１と嵌合することなく上容器３と嵌合し、両容器１，３の逆テーパ嵌合部１１７同士の嵌合状態を解除することにより、閉蓋状態を維持しつつ蓋体５と上容器３とを下容器１から一体的に分離可能である。
【選択図】図２【図１】
0005922274.tif 000002
【図２】
0005922274.tif 000003
【図３】
0005922274.tif 000004
【図４】
0005922274.tif 000005
【図５】
0005922274.tif 000006
【図６】
0005922274.tif 000007
【図７】
0005922274.tif 000008
【図８】
0005922274.tif 000009
【図９】
0005922274.tif 000010
【図１０】
0005922274.tif 000011
【図１１】
0005922274.tif 000012
【図１２】
0005922274.tif 000013